(57)【要約】【課題】特に体圧が作用したり、体勢が変化したりした場合でも、体液が漏れ出ることがない体液処理用品と、これを含む着用物品とを提供する。【解決手段】  着用物品であるおむつ２に体液処理用品１が取り付けられる。おむつ２のライナ６１およびアウタ６２には、その厚さ方向に貫通するシャーシ開口５９が形成されている。吸液構造体７０の吸液性芯材７１には、それを貫通する吸液開口７４が形成され、吸液開口７４はシャーシ開口５９とその形成位置が重なっている。吸液開口７４には、体液処理用品１を形成する弁座部材２０が取り付けられている。弁座部材２０の外側面２５と吸液開口７４とが一致するように取り付けられ、収容体１０の開口部１１は、吸液開口７４を介して身体側に露出され、着用者の外性器に対応する位置に形成される。【選択図】図６
2010172433.tif 000002
【特許請求の範囲】
【請求項１】
体液が流入する開口部を有するとともに、流入した体液を収容する収容体を含む体液処理用品において、
前記収容体内部に収容された体液が、前記開口部から前記収容体外部へと流出するのを抑制する逆流防止手段を含み、
前記逆流防止手段は、前記開口部に形成された弁座部材と、前記弁座部材と水密に接触可能な弁体と、前記弁体が前記収容体内部に脱落するのを防止する支持部材とを含み、前記弁座部材と弁体との離間によって、前記体液が前記収容体内部へと流入可能であることを特徴とする前記体液処理用品。
【請求項２】
前記弁座部材は、前記収容体内部から外部へと貫通する弁孔を含み、
前記弁体は、前記弁孔の径よりも小さい小径部と、前記弁孔に水密に接触可能な接触部と、前記弁孔の径よりも大きい大径部とを含み、前記小径部と大径部との間に前記接触部が形成されるとともに、前記小径部が前記収容体外部側に位置し、前記大径部が前記収容体内部側に位置する請求項１記載の体液処理用品。
【請求項３】
前記弁体は、前記体液よりも密度が小さく設定される請求項１または２記載の体液処理用品。
【請求項４】
前記支持部材は、透液性を有するとともに、前記弁体の前記収容体内部側に位置する請求項１〜３のいずれかに記載の体液処理用品。
【請求項５】
縦方向および横方向と、身体側およびその反対側と、前記縦方向に連なる前ウエスト域、後ウエスト域および前記前後ウエスト域間に位置するクロッチ域とを有するシャーシを含む着用物品において、
少なくとも前記クロッチ域に位置する請求項１記載の体液処理用品を含み、
前記体液処理用品の開口部が、前記身体側に開口することを特徴とする前記着用物品。
【請求項６】
前記シャーシは、前記クロッチ域に形成されたシャーシ開口を含み、該シャーシ開口が前記体液処理用品の開口部に位置し、前記収容体が前記シャーシの前記反対側に位置する請求項５記載の着用物品。
【請求項７】
少なくとも前記クロッチ域には、体液を吸収可能な吸液構造体を含み、
前記吸液構造体は、身体側およびその反対側と、これを厚さ方向に貫通する吸液開口とを含み、該吸液開口が前記体液処理用品の開口部に位置し、前記収容体が前記吸液構造体の前記反対側に位置する請求項５または６記載の着用物品。
【発明の詳細な説明】
【技術分野】
【０００１】
この発明は、体液処理用品およびこれを含む着用物品に関し、さらに詳しくは体液処理用品を有する使い捨てのおむつ、排泄トレーニングパンツ、失禁ブリーフ等に関する。
【背景技術】
【０００２】
従来、袋状の吸収体物品に開口を形成し、開口に向かって尿が排泄されるものとして例えば特開２００５−３２３７９７号公報（特許文献１）が公知である。開口と袋状の吸収体物品の底部との間には尿を分散させるガイドシートを形成し、ガイドシート側縁を吸収体で覆うことによって尿を吸収するようにしている。ガイドシートと開口との間にはスキンコンタクトシートを形成し、排泄された尿が着用者に接触するのを予防している。
【先行技術文献】
【特許文献】
【０００３】
【特許文献１】特開２００５−３２３７９７号公報（ＪＰ  ２００５−３２３７９７  Ａ）
【発明の概要】
【発明が解決しようとする課題】
【０００４】
吸収体物品内に吸収された尿は、例えば体圧が作用すると吸収体から尿が滲出する。吸収体から尿が滲出した状体で、着用者が寝返りを打ったり四つん這いになったりすると、尿が袋状の吸収体物品の内部を移動して、開口から漏れでてしまう可能性がある。
【０００５】
この発明では、特に体圧が作用したり、体勢が変化したりした場合でも、体液が漏れ出ることがない体液処理用品と、これを含む着用物品とを提供することを課題とする。
【課題を解決するための手段】
【０００６】
この発明は第１の発明と第２の発明を含む。
第１の発明は、体液が流入する開口部を有するとともに、流入した体液を収容する収容体を含む体液処理用品の改良に関わる。
【０００７】
この第１の発明は、前記体液処理用品において、前記収容体内部に収容された体液が、前記開口部から前記収容体外部へと流出するのを抑制する逆流防止手段を含み、前記逆流防止手段は、前記開口部に形成された弁座部材と、前記弁座部材と水密に接触可能な弁体と、前記弁体が前記収容体内部に脱落するのを防止する支持部材とを含み、前記弁座部材と弁体との離間によって、前記体液が前記収容体内部へと流入可能であることを特徴とする。
なお、前記弁座部材および支持部材は、それぞれ別々の部材によって形成されていてもよいし、これらが一体化されて形成されていてもよい。また、弁座部材および支持部材が同一の材料で形成される単一体であってもよい。
【０００８】
この第１の発明は、以下の好ましい実施態様を有する。
（１）前記弁座部材は、前記収容体内部から外部へと貫通する弁孔を含み、前記弁体は、前記弁孔の径よりも小さい小径部と、前記弁孔に水密に接触可能な接触部と、前記弁孔の径よりも大きい大径部とを含み、前記小径部と大径部との間に前記接触部が形成されるとともに、前記小径部が前記収容体外部側に位置し、前記大径部が前記収容体内部側に位置する。
（２）前記弁体は、前記体液よりも密度が小さく設定される。
（３）前記支持部材は、透液性を有するとともに、前記弁体の前記収容体内部側に位置する。
【０００９】
第２の発明は、縦方向および横方向と、身体側およびその反対側と、前記縦方向に連なる前ウエスト域、後ウエスト域および前記前後ウエスト域間に位置するクロッチ域とを有するシャーシを含む着用物品の改良に関わる。
この第２の発明は、少なくとも前記クロッチ域に位置する体液処理用品を含み、前記体液処理用品の開口部が、前記身体側に開口することを特徴とする。
【００１０】
この第２の発明は以下の好ましい実施態様を有する。
（１）前記シャーシは、前記クロッチ域に形成されたシャーシ開口を含み、該シャーシ開口が前記体液処理用品の開口部に位置し、前記収容体が前記シャーシの前記反対側に位置する。
（２）少なくとも前記クロッチ域には、体液を吸収可能な吸液構造体を含み、前記吸液構造体は、身体側およびその反対側と、これを厚さ方向に貫通する吸液開口とを含み、該吸液開口が前記体液処理用品の開口部に位置し、前記収容体が前記吸液構造体の前記反対側に位置する。
【発明の効果】
【００１１】
第１の発明の体液処理用品において、収容体の開口部に収容体外部から内部への体液の流入が可能であるとともに、収容体内部から外部へと体液の逆流を防止する逆流防止手段を形成することとしたので、体液処理用品から体液が漏れるのを抑制することができる。体液処理用品として、水密に接触可能な弁体と弁座部材とを含むこととし、この弁体を開口部に形成することとしたので、弁体と弁座部材とが接触したときには、収容体内部からの体液の漏れを抑制することができる。
【００１２】
第２の発明の着用物品において、少なくともクロッチ域に体液処理用品を位置させ、収容体の開口部が、身体側に開口することとしたので、例えばおむつなどの着用物品を用いた場合には、排泄された尿を体液処理用品で保持することができる。したがって、着用物品からの尿等の漏れを抑制することができる。
【図面の簡単な説明】
【００１３】
【図１】体液処理用品の斜視図。
【図２】図１のＩＩ−ＩＩ線断面の概要図。
【図３】体液処理用品の説明図。
【図４】おむつの着用状態の斜視図。
【図５】おむつの展開平面図。
【図６】図５のＶＩ−ＶＩ線断面の概要図。
【発明を実施するための形態】
【００１４】
図１および２は、この発明の体液処理用品の一例を示したものであり、図１は、体液処理用品１の斜視図、図２は図１のＩＩ−ＩＩ線断面の概要図である。図示したように、体液処理用品１は、開口部１１を有する不透液性の収容体１０と、開口部１１に形成された逆流防止手段１２とを含む。
【００１５】
収容体１０は、袋状であり、例えば天然ゴムラテックスを主原料とする伸縮性樹脂から構成されている。この伸縮性樹脂によって形成された収容体１０は、体液の自重によって拡張し、収容体１０内部の体積を大きくすることができる。体液は、収容体１０に形成された開口部１１から流入するようにしている。
【００１６】
逆流防止手段１２は、開口部１１に沿って形成された環状の弁座部材２０と、弁座部材２０に形成された弁孔２１の内径に水密に接触する弁体３０と、弁体３０が収容体１０内部に脱落するのを防止する支持部材４０とを含む。弁孔２１は、収容体１０内部側に位置する内端部２３と、収容体１０外部側に位置する外端部２４とを含む。弁孔２１は、内端部２３で最もその径が小さくなり、外端部２４で最もその径が大きくなるように、収容体１０外部に向かって外側に広がって傾斜している。弁体３０は、弁孔２１を内側面としたときに、これと反対側に位置する外側面２５を含み、外側面２５から連続して収容体１０内部側に延びる周壁によって空間形成部２２を形成している。空間形成部２２では、弁体３０を移動可能に保持するための空間が形成され、その径は、内端部２３および外端部２４よりも大きくなっている。このような空間形成部２２と内端部２３との間では、これら径の違いによって段差が形成される。
【００１７】
弁座部材２０は、好ましくは開口部１１の形状を保持可能な程度の硬度を有する樹脂等によって形成される。ここで、開口部１１の形状を保持可能な程度の硬度とは、弁座部材に着用者の体圧が作用しても、少なくともその内面である弁孔２１の形状が維持される程度ものをいう。弁孔２１の形状を維持することによって、弁体３０と弁座部材２０の内端部２３とが接触したときに隙間を形成されにくくすることができる。
このような弁座部材２０の外側面２５と、収容体１０の開口部１１とは、連結部材１３によって水密に連結されている。連結部材１３は、Ｏリングなどの伸縮性を有する樹脂等によって形成され、その収縮力によって開口部１１を外側面２５に押圧している。ただし、外側面２５と収容体１０とを例えば接着剤などによって連結してもよい。この場合には、接着剤が連結部材を構成する。
【００１８】
弁体３０は、空間形成部２２から弁孔２１に向かって延びる柱状を有している。弁体３０は、弁孔２１の内端部２３で形成される径よりも小さい小径部３１と、弁孔２１の内端部２３で形成される径よりも大きく、小径部３１よりも収容体１０内部側に位置する大径部３２と、これら小径部３１と大径部３２との間にあって、内端部２３に接触可能な接触部３３とを含む。接触部３３は、内端部２３に対して水密に接触可能としている。接触部３３が、弁座部材２０の内端部２３に対して水密に接触可能とするために、例えばポリウレタン等の柔軟性を有する樹脂によって形成されることが望ましい。このような弁体３０は、収容体１０内部側に位置する平面な底部３４を含む。
【００１９】
上記のような弁体３０は、体液よりも密度が小さくなるように設定している。したがって、収容体１０内部に体液が溜まったときには、体液から弁体３０が浮上可能である。弁体３０は、収容体１０内部に脱落しないように、支持部材４０で支持されている。支持部材４０は、弁体３０よりも収容体１０内部側に位置し、弁座部材２０の空間形成部２２の収容体１０内部側に形成されている。支持部材４０は透液性を有している。具体的には、樹脂製プレートに複数の透液孔４１を形成して、透液性を付与している。この支持部材４０としては、透液性のものであれば特に限定するものではなく、例えば透液性の不織布等を用いてもよい。このように支持部材４０を透液性にすることによって、体液が支持部材４０を透過して空間形成部２２に流入可能としている。
【００２０】
弁体３０の接触部３３から底部３４までの高さ寸法ｈ１は、空間形成部２２の高さ寸法ｈ２、すなわち内端部２３から支持部材４０までの高さ寸法よりも小さくなるようにしている。したがって、図２に示したように、支持部材４０を下方に、弁体３０を上方に位置させたときには、弁体３０の接触部３３は、弁座部材２０の内端部２３から離間し、弁体３０の底部３４が支持部材４０に接触して載置される。
【００２１】
上記のような体液処理用品１において、図１および２に示した状態では、弁体３０が弁座部材２０の内端部２３から離間しているから、弁孔２１に向かって尿等の体液が排泄されると、これが弁体３０の小径部３１の周囲と内端部２３との間を通って、支持部材４０の透液孔４１を介して収容体１０内部に収容される。収容体１０は伸縮性を有する樹脂製であり、体液の自重によって、体積を大きくすることが可能であるので、すぐに収容体１０内部が尿で一杯になるのを抑制することができる。また、収容体１０は、その容積を大きくすることができるので、当初から容量の大きなものを用いる必要がなく、体液処理用品１のコンパクト化を図ることができる。
【００２２】
図１および２に示した状態から、図３に示したように、体液処理用品１が倒れた状態になった場合には、体液が支持部材４０の透液孔４１を介して弁体３０の底部３４に到達し、この体液よって弁体３０が収容体１０外部側に押圧される。また、弁体３０は、密度が体液よりも小さいことによって体液から浮上するように作用するから、この浮上によっても収容体１０外部側に押圧される。弁体３０が収容体１０外部側へと押圧されると、接触部３３が弁座部材２０の内端部２３に接触する。弁体３０は、柔軟性を有するので、水密に内端部２３に接触可能であり、体液が収容体１０内部から外部へと流出するのを防止することができる。
また、収容体１０がさかさまになった場合には、弁体３０の底部３４が尿によって押圧されるとともに、収容体１０の自重によって接触部３３を内端部２３に接触させ、体液が収容体１０外部に流出するのを防止することができる。
【００２３】
上記のような体液処理用品１において、図２に示したように、小径部３１の先端から接触部３３までの高さ寸法ｈ３は、弁孔２１の内端部２３から外端部２４までの高さ寸法ｈ４よりも短くすることが好ましい。このような寸法関係にすることで、弁体３０の接触部３３が弁座部材２０の内端部２３に接触した場合であっても、その先端が外端部２４から突出することがなく、弁体３０の先端が着用者の肌に接触して肌トラブルを引き起こすのを防止することができる。また、弁体３０を、柔軟性のある樹脂製にしているので、仮に弁体３０が着用者に接触した場合であっても、その衝撃を緩和することができる。
【００２４】
図４〜６は、上記のような体液処理用品１を含む着用物品の一例を示したものである。着用物品として、使い捨ておむつ２をその一例として説明する。
図４はおむつ２の着用状態を示したものであり、図５は、図４の両側縁の接合を解いたときの、おむつ２の平面図であり、それぞれ説明のためその一部を破断している。図５では、おむつ２が平らになるように各弾性体の伸縮力が作用していない状態を示している。図６は図５のＶＩ−ＶＩ線断面の概要図である。おむつ２はシャーシ５０と、吸液構造体７０と、ウエスト弾性体８１と、レッグ弾性体８２とを含む。シャーシ５０は、縦方向Ｙに連なる前ウエスト域５１、後ウエスト域５２、これら前後ウエスト域５１，５２間に位置するクロッチ域５３を含むとともに、横方向Ｘの寸法を二等分する縦中心線Ｐ−Ｐと、縦方向Ｙの寸法を二等分する横中心線Ｑ−Ｑとを有している。
【００２５】
シャーシ５０は、身体側を形成するライナ６１と、その反対側である着衣側を形成するアウタ６２とを含み、これらライナ６１とアウタ６２との間にウエスト弾性体８１およびレッグ弾性体８２を介在させている。ウエスト弾性体８１およびレッグ弾性体８２は、少なくともライナ６１およびアウタ６２のいずれか一方に接合している。シャーシ５０は、縦方向Ｙに延びて前ウエスト域５１に位置する前ウエスト側縁５４と、後ウエスト域５２に位置する後ウエスト側縁５５と、クロッチ域５３に位置するレッグ側縁５６とを含む。
【００２６】
レッグ側縁５６は、クロッチ域５３において縦中心線Ｐ−Ｐに向かって湾曲し、レッグ弾性体８２は、レッグ側縁５６に沿って、伸長状態で収縮可能に取り付けられる。ウエスト弾性体８１は、前後ウエスト域５１，５２の横方向Ｘに延びるシャーシ前後端縁５７，５８に沿って、横方向Ｘに伸長状態で収縮可能に取り付けられる。前ウエスト側縁５４と、後ウエスト側縁５５とは、互いに接合され、前後ウエスト域５１，５２を連結して、パンツ型のおむつ２が形成される。
【００２７】
シャーシ５０には、少なくともクロッチ域５３において、その厚さ方向に貫通するシャーシ開口５９が形成されている。この実施形態では、シャーシ開口５９は、クロッチ域５３から前後ウエスト域５１，５２へと延びている。アウタ６２の着衣側であって、シャーシ開口５９を塞ぐように、吸液構造体７０が形成されている。吸液構造体７０は、身体側およびその反対側である着衣側と、吸液性芯材７１と、この吸液性芯材７１を覆う被覆シート７２とを含み、被覆シート７２の着衣側には、液不透過性の漏れ防止シート７３が形成される。漏れ防止シート７３のさらにその着衣側に、肌触りを向上させるために繊維不織布を取り付けてもよい。ライナ６１およびアウタ６２は液透過性の繊維不織布等、吸液性芯材７１はフラッフパルプと高吸収性ポリマー粒子との混合物等、被覆シート７２は液拡散性のティッシュペーパ等、それぞれ当技術分野の慣用素材を用いることができる。
【００２８】
吸液構造体７０の吸液性芯材７１には、それを貫通する吸液開口７４が形成され、吸液開口７４はシャーシ開口５９とその形成位置が重なっている。この吸液開口７４には、体液処理用品１を形成する弁座部材２０が取り付けられている。具体的には、弁座部材２０の外側面２５と吸液開口７４とが一致するように取り付けられ、収容体１０が、吸液構造体７０と漏れ防止シート７３との間に位置するように形成されている。収容体１０の開口部１１は、吸液開口７４を介して身体側に露出され、着用者の外性器に対応する位置に形成される。したがって、シャーシ開口５９および吸液開口７４を介して外性器が体液処理用品１の開口部１１に臨む。
【００２９】
吸液性芯材７１の厚さ寸法は、体液処理用品１の厚さ寸法よりも大きいか、またはそれと同等の寸法関係を有するようにしている。ここで体液処理用品１の厚さ寸法とは、実質的には弁座部材２０の身体側に位置する端部から、支持部材４０までの長さ寸法である。このような寸法関係にすることによって、吸液開口７４に取り付けられた体液処理用品１が吸液開口７４から身体側に突出するのを抑制することができる。このとき、体液処理用品１の開口部１１がライナ６１およびアウタ６２と同一面にあるか、これよりも着衣側に位置するのが好ましい。
【００３０】
上記のようなおむつ２では、着用者による排尿があった場合には、尿は開口部１１から体液処理用品１の収容体１０に収容される。体液処理用品１が図１および２の状態にあるときには、尿が弁体３０の周囲を通って収容体１０に収容され、着用者が横になったり、四つんばいになったりして図３の状態になったときには、弁体３０と弁座部材２０とが水密に接触して、収容体１０に収容された尿が着用者側に逆流するのを防止することができる。また、着用者が座ったりして体液処理用品１に体圧が作用した場合には、収容体１０に収容された尿の水位が収容体１０内で上昇するが、弁体３０は、体液よりも密度を小さくしているので尿に浮くことができ、その結果、尿が収容体１０から流出する前に弁体３０が弁座部材２０に接触する。したがって、この場合にも尿が身体側に逆流するのを防止することができる。体液処理用品１からの尿の逆流を防止することができるので、おむつ２からの尿漏れを抑制することができる。
【００３１】
たとえ、尿が体液処理用品１の開口部１１から外れて排泄されたり、収容体１０から漏れたりしても、開口部１１の周囲には吸液構造体７０が存在するので、漏れた尿を吸液構造体７０で吸収することができる。したがって、より一層おむつ１からの尿漏れを抑制することができる。
また、吸液構造体７０の吸液開口７４からは、体液処理用品１の開口部１１だけが露出されており、他の部分は、吸液構造体７０から突出しないようにして着衣側に位置するようにしているので、吸液構造体７０によって体液処理用品１が身体に接触することの違和感を緩衝することができる。
【００３２】
この実施形態で、体液処理用品１の開口部１１は一箇所であるが、複数個所あってもよいし、複数の体液処理用品１を着用物品に形成してもよい。
また、おむつ２の吸液構造体７０に吸液開口７４を形成し、吸液開口７４に体液処理用品１の開口部１１を露出させる構成としているが、体液処理用品１全体を吸液構造体７０の身体側に位置させるようにしてもよい。この場合には、シャーシ５０と吸液構造体７０との間に体液処理用品１を形成することができる。
シャーシ５０にはシャーシ開口５９を形成することとしているが、必ずしもシャーシ開口５９を形成しなくてもよい。この場合には、少なくとも体液処理用品１の開口部１１が位置する部分を液透過性にすることによって、シャーシ５０の着衣側に位置する体液処理用品１に尿などの体液を透過させることができる。また、シャーシ５０の身体側に体液処理用品１を形成するようにしてもよい。いずれにしても体液処理用品１の開口部１１を介して尿などの体液が収容体１０に収容されるようにできればよい。収容体２０として、不透液性のものを用いているが、必ずしも不透液性のものに限定されるものではない。開口部１１を介して流入した体液を収容することができるものであれば透液性のものであってもよいし、例えば吸液性芯材で体液を保持するような場合も含む。
【００３３】
弁座部材２０と支持部材４０とは、それぞれ別々の部材によって形成されて接合されることとしているが、これらが一体化されて形成されていてもよい。弁座部材２０および支持部材４０が一体化されて形成される場合には、これらが同一の材料で形成される単一体とすることもできる。
【符号の説明】
【００３４】
１  体液処理用品
２  おむつ（着用物品）
１０  収容体
１１  開口部
１２  逆流防止手段
２０  弁座部材
２１  弁孔
３０  弁体
３１  小径部
３２  大径部
３３  接触部
４０  支持部材
５０  シャーシ
５１  前ウエスト域
５２  後ウエスト域
５３  クロッチ域
５９  シャーシ開口
７０  吸液構造体
７４  吸液開口
【図１】
2010172433.tif 000003
【図２】
2010172433.tif 000004
【図３】
2010172433.tif 000005
【図４】
2010172433.tif 000006
【図５】
2010172433.tif 000007
【図６】
2010172433.tif 000008